【手続補正書】
【提出日】平成15年12月5日(2003.12.5)
【手続補正１】
【補正対象書類名】明細書
【補正対象項目名】発明の名称
【補正方法】変更
【補正の内容】
【発明の名称】デバイス検索方法、デバイス検索システム、サーバ、制御方法および記憶媒体


【手続補正２】
【補正対象書類名】明細書
【補正対象項目名】特許請求の範囲
【補正方法】変更
【補正の内容】
【特許請求の範囲】
【請求項１】
デバイス、ディレクトリサーバおよびクライアントを接続したネットワークに用いられるデバイス検索方法において、前記クライアントにより前記デバイスに対する検索条件を入力し、送信する工程と、前記ディレクトリサーバにより前記クライアントから送信された検索条件を受信する工程と、前記ディレクトリサーバにより前記デバイスが保持する適合度算出プログラムを取り込む工程と、前記ディレクトリサーバにより前記受信した検索条件を前記デバイスから取り込んだ適合度算出プログラムが解釈可能な制御情報に変換し、前記制御情報を変数として前記適合度算出プログラムを実行して前記検索条件に対するデバイスの適合度を算出する工程と、前記ディレクトリサーバにより前記適合度の算出結果を前記クライアントに通知する工程とを有することを特徴とするデバイス検索方法。
【請求項２】
デバイス、ディレクトリサーバおよび前記デバイスに対する検索条件を入力可能なクライアントを接続したネットワークに用いられるデバイス検索方法において、前記ディレクトリサーバにより、前記クライアントから送信された検索条件を受信し、前記受信した検索条件を前記デバイスが解釈可能な制御情報に変換し、該制御情報を前記デバイスに送信する工程と、前記デバイスにより前記ディレクトリサーバから送信された制御情報を受信し、前記受信した制御情報を変数として前記検索条件に対するデバイスの適合度を算出し、該適合度の算出結果を前記ディレクトリサーバに返す工程と、前記ディレクトリサーバにより前記適合度の算出結果を前記クライアントに通知する工程とを有することを特徴とするデバイス検索方法。
【請求項３】
デバイス、ディレクトリサーバおよび前記デバイスに対する検索条件を入力可能なクライアントを接続したネットワークに用いられるデバイス検索方法において、前記ディレクトリサーバは、前記デバイスからその能力情報を取り込む工程と、前記取り込んだ能力情報を前記クライアンに転送する工程とを有し、前記クライアントは、前記ディレクトリサーバに対して前記取り込んだ能力情報を転送するように要求する工程と、前記要求により前記ディレクトリサーバから転送された能力情報を受信する工程と、前記入力された検索条件と前記能力情報とに基づき前記検索条件に対するデバイスの適合度を算出する適合度算出手工程と、前記適合度の算出結果を表示手段に表示する工程とを有することを特徴とするデバイス検索方法。
【請求項４】
デバイス、ディレクトリサーバおよび前記デバイスに対する検索条件を入力可能なクライアントを接続したネットワーク上に用いられるデバイス検索方法において、前記ディレクトリサーバは、前記デバイスから適合度算出プログラムを取り込む工程と、前記取り込んだ適合度算出プログラムを前記クライアントに転送する工程とを有し、前記クライアントは、前記ディレクトリサーバに対して前記取り込んだ適合度算出プログラムを転送するように要求する工程と、前記要求により前記ディレクトリサーバから転送された適合度算出プログラムを受信する工程と、前記入力された検索条件を制御情報に変換する工程と、前記検索条件に対するデバイスの適合度を算出するように前記制御情報を変数として前記適合度算出プログラムを実行する工程と、前記適合度の算出結果を表示手段に表示する工程とを有することを特徴とするデバイス検索方法。
【請求項５】
デバイス、サーバおよび検索条件を入力可能なクライアントが接続されたネットワーク上に構築されたデバイス検索システムにおいて、
前記デバイスは、
前記クライアントで入力された検索条件に基づいて当該デバイスに対する適合度を算出するための算出プログラムを保持し、
前記サーバは、
前記デバイスから前記算出プログラムを受信する算出プログラム受信手段と、
前記クライアントから送信されてきた検索条件を受信する検索条件受信手段と、
前記算出プログラムを実行して、前記検索条件に対する前記デバイスの適合度を算出する算出手段と、
前記適合度を前記クライアントに送信する適合度送信手段とを有することを特徴とするデバイス検索システム。
【請求項６】
デバイスおよび検索条件を入力可能なクライアントと接続されているサーバにおいて、
前記デバイスから、前記クライアントで入力された検索条件に基づいて当該デバイスに対する適合度を算出するための算出プログラムを受信する算出プログラム受信手段と、
前記クライアントから送信されてきた検索条件を受信する検索条件受信手段と、
前記算出プログラムを実行して、前記検索条件に対する前記デバイスの適合度を算出する算出手段と、
前記適合度を前記クライアントに送信する適合度送信手段とを有することを特徴とするサーバ。
【請求項７】
前記検索条件を、前記算出プログラムが解釈可能な制御情報に変換する変換手段を有することを特徴とする請求項６記載のサーバ。
【請求項８】
前記デバイスの能力に関する情報を取得する能力手段を有し、前記算出手段は、前記デバイスの能力に関する情報に基づいて、前記検索条件に対する前記でバイスの適合度を算出することを特徴とする請求項６または７記載のサーバ。
【請求項９】
前記デバイスの状態に関する情報を取得する状態取得手段を有し、前記算出手段は、前記デバイスの状態に関する情報に基づいて、前記検索条件に対する前記でバイスの適合度を算出することを特徴とする請求項６ないし８のいずれかに記載のサーバ。
【請求項１０】
前記算出プログラムを記憶する記憶手段を有することを特徴とする請求項６ないし９のいずれか１つに記載のサーバ。
【請求項１１】
前記算出手段は、前記算出プログラムに従って、前記検索条件に含まれる項目がそれぞれ前記デバイスに適合するか否かを判定することを特徴とする請求項６ないし１０のいずれか１つに記載のサーバ。
【請求項１２】
前記算出手段は、前記算出プログラムに従って、前記検索条件に含まれる項目のうち、前記デバイスに適合する項目数を算出することを特徴とする請求項６ないし１１のいずれか１つに記載のサーバ。
【請求項１３】
デバイス、サーバおよび検索条件を入力可能なクライアントが接続されたネットワーク上に構築されたデバイス検索システムの制御方法において、
前記デバイスは、
前記クライアントで入力された検索条件に基づいて当該デバイスに対する適合度を算出するための算出プログラムを保持し、
前記サーバにおける制御方法は、
前記デバイスから前記算出プログラムを受信する算出プログラム受信ステップと、
前記クライアントから送信されてきた検索条件を受信する検索条件受信ステップと、
前記算出プログラムを実行して、前記検索条件に対する前記デバイスの適合度を算出する算出ステップと、
前記適合度を前記クライアントに送信する適合度送信ステップとを有することを特徴とする制御方法。
【請求項１４】
デバイスおよび検索条件を入力可能なクライアントと接続されているサーバの制御プログラムを格納したコンピュータに読取可能な記憶媒体において、
前記制御プログラムは、
前記デバイスから、前記クライアントで入力された検索条件に基づいて当該デバイスに対する適合度を算出するための算出プログラムを受信する算出プログラム受信ステップと、
前記クライアントから送信されてきた検索条件を受信する検索条件受信ステップと、
前記算出プログラムを実行して、前記検索条件に対する前記デバイスの適合度を算出する算出ステップと、
前記適合度を前記クライアントに送信する適合度送信ステップとを有することを特徴とする記憶媒体。
【請求項１５】
デバイス、サーバおよび検索条件を入力可能なクライアントが接続されたネットワーク上に構築されたデバイス検索システムの制御方法において、
前記サーバにおける制御方法は、
前記クライアントから送信されてきた検索条件を受信する検索条件受信ステップと、
前記検索条件に係る検索情報を前記デバイスに送信する検索情報送信ステップとを有し、
前記デバイスにおける制御方法は、
前記サーバから前記検索情報を受信する検索情報受信ステップと、
前記算出プログラムを実行して、前記検索情報に係る前記検索条件に対する前記デバイスの適合度を算出する算出ステップと、
前記適合度を前記サーバに送信する適合度送信ステップとを有することを特徴とする制御方法。
【請求項１６】
デバイスおよび検索条件を入力可能なクライアントと接続されているサーバの制御方法において、
前記デバイスから、前記クライアントで入力された検索条件に基づいて当該デバイスに対する適合度を算出するための算出プログラムを受信する算出プログラム受信ステップと、
前記算出プログラムを前記クライアントに送信する算出プログラム送信ステップと
を有することを特徴とする制御方法。
【手続補正３】
【補正対象書類名】明細書
【補正対象項目名】０００１
【補正方法】変更
【補正の内容】
【０００１】
【発明の属する技術分野】
本発明は、デバイス、ディレクトリサーバおよびクライアントを接続したネットワークに用いられるデバイス検索方法、デバイス検索システム、サーバ、制御方法および記憶媒体に関する。


【手続補正４】
【補正対象書類名】明細書
【補正対象項目名】０００８
【補正方法】変更
【補正の内容】
【０００８】
本発明の目的は、各デバイスを現在の状態において使用した場合の適合度をユーザに分かり易く通知することができるデバイス検索方法、デバイス検索システム、サーバ、制御方法および記憶媒体を提供することにある。


【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
【課題を解決するための手段】
請求項１記載の発明は、デバイス、ディレクトリサーバおよびクライアントを接続したネットワークに用いられるデバイス検索方法において、前記クライアントにより前記デバイスに対する検索条件を入力し、送信する工程と、前記ディレクトリサーバにより前記クライアントから送信された検索条件を受信する工程と、前記ディレクトリサーバにより前記デバイスが保持する適合度算出プログラムを取り込む工程と、前記ディレクトリサーバにより前記受信した検索条件を前記デバイスから取り込んだ適合度算出プログラムが解釈可能な制御情報に変換し、前記制御情報を変数として前記適合度算出プログラムを実行して前記検索条件に対するデバイスの適合度を算出する工程と、前記ディレクトリサーバにより前記適合度の算出結果を前記クライアントに通知する工程とを有することを特徴とする。


【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】変更
【補正の内容】
【００２８】
請求項２記載の発明は、デバイス、ディレクトリサーバおよび前記デバイスに対する検索条件を入力可能なクライアントを接続したネットワークに用いられるデバイス検索方法において、前記ディレクトリサーバにより、前記クライアントから送信された検索条件を受信し、前記受信した検索条件を前記デバイスが解釈可能な制御情報に変換し、該制御情報を前記デバイスに送信する工程と、前記デバイスにより前記ディレクトリサーバから送信された制御情報を受信し、前記受信した制御情報を変数として前記検索条件に対するデバイスの適合度を算出し、該適合度の算出結果を前記ディレクトリサーバに返す工程と、前記ディレクトリサーバにより前記適合度の算出結果を前記クライアントに通知する工程とを有することを特徴とする。


【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】変更
【補正の内容】
【００４３】
請求項３記載の発明は、デバイス、ディレクトリサーバおよび前記デバイスに対する検索条件を入力可能なクライアントを接続したネットワークに用いられるデバイス検索方法において、前記ディレクトリサーバは、前記デバイスからその能力情報を取り込む工程と、前記取り込んだ能力情報を前記クライアンに転送する工程とを有し、前記クライアントは、前記ディレクトリサーバに対して前記取り込んだ能力情報を転送するように要求する工程と、前記要求により前記ディレクトリサーバから転送された能力情報を受信する工程と、前記入力された検索条件と前記能力情報とに基づき前記検索条件に対するデバイスの適合度を算出する適合度算出手工程と、前記適合度の算出結果を表示手段に表示する工程とを有することを特徴とする。


【手続補正４０】
【補正対象書類名】明細書
【補正対象項目名】００４４
【補正方法】変更
【補正の内容】
【００４４】
請求項４記載の発明は、デバイス、ディレクトリサーバおよび前記デバイスに対する検索条件を入力可能なクライアントを接続したネットワーク上に用いられるデバイス検索方法において、前記ディレクトリサーバは、前記デバイスから適合度算出プログラムを取り込む工程と、前記取り込んだ適合度算出プログラムを前記クライアントに転送する工程とを有し、前記クライアントは、前記ディレクトリサーバに対して前記取り込んだ適合度算出プログラムを転送するように要求する工程と、前記要求により前記ディレクトリサーバから転送された適合度算出プログラムを受信する工程と、前記入力された検索条件を制御情報に変換する工程と、前記検索条件に対するデバイスの適合度を算出するように前記制御情報を変数として前記適合度算出プログラムを実行する工程と、前記適合度の算出結果を表示手段に表示する工程とを有することを特徴とする。


【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】変更
【補正の内容】
【００４７】
請求項５記載の発明は、デバイス、サーバおよび検索条件を入力可能なクライアントが接続されたネットワーク上に構築されたデバイス検索システムにおいて、前記デバイスは、前記クライアントで入力された検索条件に基づいて当該デバイスに対する適合度を算出するための算出プログラムを保持し、前記サーバは、前記デバイスから前記算出プログラムを受信する算出プログラム受信手段と、前記クライアントから送信されてきた検索条件を受信する検索条件受信手段と、前記算出プログラムを実行して、前記検索条件に対する前記デバイスの適合度を算出する算出手段と、前記適合度を前記クライアントに送信する適合度送信手段とを有することを特徴とする。


【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】変更
【補正の内容】
【００５８】
請求項６記載の発明は、デバイスおよび検索条件を入力可能なクライアントと接続されているサーバにおいて、前記デバイスから、前記クライアントで入力された検索条件に基づいて当該デバイスに対する適合度を算出するための算出プログラムを受信する算出プログラム受信手段と、前記クライアントから送信されてきた検索条件を受信する検索条件受信手段と、前記算出プログラムを実行して、前記検索条件に対する前記デバイスの適合度を算出する算出手段と、前記適合度を前記クライアントに送信する適合度送信手段とを有することを特徴とする。


【手続補正５５】
【補正対象書類名】明細書
【補正対象項目名】００５９
【補正方法】変更
【補正の内容】
【００５９】
請求項７記載の発明は、請求項６記載のサーバにおいて、前記検索条件を、前記算出プログラムが解釈可能な制御情報に変換する変換手段を有することを特徴とする。


【手続補正５６】
【補正対象書類名】明細書
【補正対象項目名】００６０
【補正方法】変更
【補正の内容】
【００６０】
請求項８記載の発明は、請求項６または７記載のサーバにおいて、前記デバイスの能力に関する情報を取得する能力手段を有し、前記算出手段は、前記デバイスの能力に関する情報に基づいて、前記検索条件に対する前記でバイスの適合度を算出することを特徴とする。


【手続補正５７】
【補正対象書類名】明細書
【補正対象項目名】００６１
【補正方法】変更
【補正の内容】
【００６１】
請求項９記載の発明は、請求項６ないし８のいずれかに記載のサーバにおいて、前記デバイスの状態に関する情報を取得する状態取得手段を有し、前記算出手段は、前記デバイスの状態に関する情報に基づいて、前記検索条件に対する前記でバイスの適合度を算出することを特徴とする。


【手続補正５８】
【補正対象書類名】明細書
【補正対象項目名】００６２
【補正方法】変更
【補正の内容】
【００６２】
請求項１０記載の発明は、請求項６ないし９のいずれか１つに記載のサーバにおいて、前記算出プログラムを記憶する記憶手段を有することを特徴とする。


【手続補正５９】
【補正対象書類名】明細書
【補正対象項目名】００６３
【補正方法】変更
【補正の内容】
【００６３】
請求項１１記載の発明は、請求項６ないし１０のいずれか１つに記載のサーバにおいて、前記算出手段は、前記算出プログラムに従って、前記検索条件に含まれる項目がそれぞれ前記デバイスに適合するか否かを判定することを特徴とする。


【手続補正６０】
【補正対象書類名】明細書
【補正対象項目名】００６４
【補正方法】変更
【補正の内容】
【００６４】
請求項１２記載の発明は、請求項６ないし１１のいずれか１つに記載のサーバにおいて、前記算出手段は、前記算出プログラムに従って、前記検索条件に含まれる項目のうち、前記デバイスに適合する項目数を算出することを特徴とする。


【手続補正６１】
【補正対象書類名】明細書
【補正対象項目名】００６５
【補正方法】変更
【補正の内容】
【００６５】
請求項１３記載の発明は、デバイス、サーバおよび検索条件を入力可能なクライアントが接続されたネットワーク上に構築されたデバイス検索システムの制御方法において、前記デバイスは、前記クライアントで入力された検索条件に基づいて当該デバイスに対する適合度を算出するための算出プログラムを保持し、前記サーバにおける制御方法は、前記デバイスから前記算出プログラムを受信する算出プログラム受信ステップと、前記クライアントから送信されてきた検索条件を受信する検索条件受信ステップと、前記算出プログラムを実行して、前記検索条件に対する前記デバイスの適合度を算出する算出ステップと、前記適合度を前記クライアントに送信する適合度送信ステップとを有することを特徴とする。


【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】００７１
【補正方法】削除
【補正の内容】
【手続補正６８】
【補正対象書類名】明細書
【補正対象項目名】００７２
【補正方法】削除
【補正の内容】
【手続補正６９】
【補正対象書類名】明細書
【補正対象項目名】００７３
【補正方法】削除
【補正の内容】
【手続補正７０】
【補正対象書類名】明細書
【補正対象項目名】００７４
【補正方法】削除
【補正の内容】
【手続補正７１】
【補正対象書類名】明細書
【補正対象項目名】００７５
【補正方法】削除
【補正の内容】
【手続補正７２】
【補正対象書類名】明細書
【補正対象項目名】００７６
【補正方法】削除
【補正の内容】
【手続補正７３】
【補正対象書類名】明細書
【補正対象項目名】００７７
【補正方法】削除
【補正の内容】
【手続補正７４】
【補正対象書類名】明細書
【補正対象項目名】００７８
【補正方法】削除
【補正の内容】
【手続補正７５】
【補正対象書類名】明細書
【補正対象項目名】００７９
【補正方法】削除
【補正の内容】
【手続補正７６】
【補正対象書類名】明細書
【補正対象項目名】００８０
【補正方法】削除
【補正の内容】
【手続補正７７】
【補正対象書類名】明細書
【補正対象項目名】００８１
【補正方法】削除
【補正の内容】
【手続補正７８】
【補正対象書類名】明細書
【補正対象項目名】００８２
【補正方法】削除
【補正の内容】
【手続補正７９】
【補正対象書類名】明細書
【補正対象項目名】００８３
【補正方法】削除
【補正の内容】
【手続補正８０】
【補正対象書類名】明細書
【補正対象項目名】００８４
【補正方法】削除
【補正の内容】
【手続補正８１】
【補正対象書類名】明細書
【補正対象項目名】００８５
【補正方法】削除
【補正の内容】
【手続補正８２】
【補正対象書類名】明細書
【補正対象項目名】００８６
【補正方法】削除
【補正の内容】
【手続補正８３】
【補正対象書類名】明細書
【補正対象項目名】００８７
【補正方法】削除
【補正の内容】
【手続補正８４】
【補正対象書類名】明細書
【補正対象項目名】００８８
【補正方法】削除
【補正の内容】
【手続補正８５】
【補正対象書類名】明細書
【補正対象項目名】００８９
【補正方法】削除
【補正の内容】
【手続補正８６】
【補正対象書類名】明細書
【補正対象項目名】００９０
【補正方法】削除
【補正の内容】
【手続補正８７】
【補正対象書類名】明細書
【補正対象項目名】００９１
【補正方法】削除
【補正の内容】
【手続補正８８】
【補正対象書類名】明細書
【補正対象項目名】００９２
【補正方法】削除
【補正の内容】
【手続補正８９】
【補正対象書類名】明細書
【補正対象項目名】００９３
【補正方法】削除
【補正の内容】
【手続補正９０】
【補正対象書類名】明細書
【補正対象項目名】００９４
【補正方法】変更
【補正の内容】
【００９４】
請求項１４記載の発明は、デバイスおよび検索条件を入力可能なクライアントと接続されているサーバの制御プログラムを格納したコンピュータに読取可能な記憶媒体において、前記制御プログラムは、前記デバイスから、前記クライアントで入力された検索条件に基づいて当該デバイスに対する適合度を算出するための算出プログラムを受信する算出プログラム受信ステップと、前記クライアントから送信されてきた検索条件を受信する検索条件受信ステップと、前記算出プログラムを実行して、前記検索条件に対する前記デバイスの適合度を算出する算出ステップと、前記適合度を前記クライアントに送信する適合度送信ステップとを有することを特徴とする。


【手続補正９１】
【補正対象書類名】明細書
【補正対象項目名】００９５
【補正方法】削除
【補正の内容】
【手続補正９２】
【補正対象書類名】明細書
【補正対象項目名】００９６
【補正方法】削除
【補正の内容】
【手続補正９３】
【補正対象書類名】明細書
【補正対象項目名】００９７
【補正方法】削除
【補正の内容】
【手続補正９４】
【補正対象書類名】明細書
【補正対象項目名】００９８
【補正方法】削除
【補正の内容】
【手続補正９５】
【補正対象書類名】明細書
【補正対象項目名】００９９
【補正方法】削除
【補正の内容】
【手続補正９６】
【補正対象書類名】明細書
【補正対象項目名】０１００
【補正方法】削除
【補正の内容】
【手続補正９７】
【補正対象書類名】明細書
【補正対象項目名】０１０１
【補正方法】削除
【補正の内容】
【手続補正９８】
【補正対象書類名】明細書
【補正対象項目名】０１０２
【補正方法】削除
【補正の内容】
【手続補正９９】
【補正対象書類名】明細書
【補正対象項目名】０１０３
【補正方法】削除
【補正の内容】
【手続補正１００】
【補正対象書類名】明細書
【補正対象項目名】０１０４
【補正方法】削除
【補正の内容】
【手続補正１０１】
【補正対象書類名】明細書
【補正対象項目名】０１０５
【補正方法】削除
【補正の内容】
【手続補正１０２】
【補正対象書類名】明細書
【補正対象項目名】０１０６
【補正方法】削除
【補正の内容】
【手続補正１０３】
【補正対象書類名】明細書
【補正対象項目名】０１０７
【補正方法】削除
【補正の内容】
【手続補正１０４】
【補正対象書類名】明細書
【補正対象項目名】０１０８
【補正方法】削除
【補正の内容】
【手続補正１０５】
【補正対象書類名】明細書
【補正対象項目名】０１０９
【補正方法】削除
【補正の内容】
【手続補正１０６】
【補正対象書類名】明細書
【補正対象項目名】０１１０
【補正方法】削除
【補正の内容】
【手続補正１０７】
【補正対象書類名】明細書
【補正対象項目名】０１１１
【補正方法】削除
【補正の内容】
【手続補正１０８】
【補正対象書類名】明細書
【補正対象項目名】０１１２
【補正方法】削除
【補正の内容】
【手続補正１０９】
【補正対象書類名】明細書
【補正対象項目名】０１１３
【補正方法】削除
【補正の内容】
【手続補正１１０】
【補正対象書類名】明細書
【補正対象項目名】０１１４
【補正方法】削除
【補正の内容】
【手続補正１１１】
【補正対象書類名】明細書
【補正対象項目名】０１１５
【補正方法】削除
【補正の内容】
【手続補正１１２】
【補正対象書類名】明細書
【補正対象項目名】０１１６
【補正方法】変更
【補正の内容】
【０１１６】
請求項１５記載の発明は、デバイス、サーバおよび検索条件を入力可能なクライアントが接続されたネットワーク上に構築されたデバイス検索システムの制御方法において、前記サーバにおける制御方法は、前記クライアントから送信されてきた検索条件を受信する検索条件受信ステップと、前記検索条件に係る検索情報を前記デバイスに送信する検索情報送信ステップを有し、前記デバイスにおける制御方法は、前記サーバから前記検索情報を受信する検索情報受信ステップと、前記算出プログラムを実行して、前記検索情報に係る前記検索条件に対する前記デバイスの適合度を算出する算出ステップと、前記適合度を前記サーバに送信する適合度送信ステップとを有することを特徴とする。


【手続補正１１３】
【補正対象書類名】明細書
【補正対象項目名】０１１７
【補正方法】削除
【補正の内容】
【手続補正１１４】
【補正対象書類名】明細書
【補正対象項目名】０１１８
【補正方法】削除
【補正の内容】
【手続補正１１５】
【補正対象書類名】明細書
【補正対象項目名】０１１９
【補正方法】削除
【補正の内容】
【手続補正１１６】
【補正対象書類名】明細書
【補正対象項目名】０１２０
【補正方法】削除
【補正の内容】
【手続補正１１７】
【補正対象書類名】明細書
【補正対象項目名】０１２１
【補正方法】削除
【補正の内容】
【手続補正１１８】
【補正対象書類名】明細書
【補正対象項目名】０１２２
【補正方法】削除
【補正の内容】
【手続補正１１９】
【補正対象書類名】明細書
【補正対象項目名】０１２３
【補正方法】削除
【補正の内容】
【手続補正１２０】
【補正対象書類名】明細書
【補正対象項目名】０１２４
【補正方法】削除
【補正の内容】
【手続補正１２１】
【補正対象書類名】明細書
【補正対象項目名】０１２５
【補正方法】削除
【補正の内容】
【手続補正１２２】
【補正対象書類名】明細書
【補正対象項目名】０１２６
【補正方法】削除
【補正の内容】
【手続補正１２３】
【補正対象書類名】明細書
【補正対象項目名】０１２７
【補正方法】削除
【補正の内容】
【手続補正１２４】
【補正対象書類名】明細書
【補正対象項目名】０１２８
【補正方法】削除
【補正の内容】
【手続補正１２５】
【補正対象書類名】明細書
【補正対象項目名】０１２９
【補正方法】削除
【補正の内容】
【手続補正１２６】
【補正対象書類名】明細書
【補正対象項目名】０１３０
【補正方法】削除
【補正の内容】
【手続補正１２７】
【補正対象書類名】明細書
【補正対象項目名】０１３１
【補正方法】削除
【補正の内容】
【手続補正１２８】
【補正対象書類名】明細書
【補正対象項目名】０１３２
【補正方法】削除
【補正の内容】
【手続補正１２９】
【補正対象書類名】明細書
【補正対象項目名】０１３３
【補正方法】削除
【補正の内容】
【手続補正１３０】
【補正対象書類名】明細書
【補正対象項目名】０１３４
【補正方法】削除
【補正の内容】
【手続補正１３１】
【補正対象書類名】明細書
【補正対象項目名】０１３５
【補正方法】削除
【補正の内容】
【手続補正１３２】
【補正対象書類名】明細書
【補正対象項目名】０１３６
【補正方法】削除
【補正の内容】
【手続補正１３３】
【補正対象書類名】明細書
【補正対象項目名】０１３７
【補正方法】削除
【補正の内容】
【手続補正１３４】
【補正対象書類名】明細書
【補正対象項目名】０１３８
【補正方法】削除
【補正の内容】
【手続補正１３５】
【補正対象書類名】明細書
【補正対象項目名】０１３９
【補正方法】削除
【補正の内容】
【手続補正１３６】
【補正対象書類名】明細書
【補正対象項目名】０１４０
【補正方法】削除
【補正の内容】
【手続補正１３７】
【補正対象書類名】明細書
【補正対象項目名】０１４１
【補正方法】削除
【補正の内容】
【手続補正１３８】
【補正対象書類名】明細書
【補正対象項目名】０１４２
【補正方法】削除
【補正の内容】
【手続補正１３９】
【補正対象書類名】明細書
【補正対象項目名】０１４３
【補正方法】削除
【補正の内容】
【手続補正１４０】
【補正対象書類名】明細書
【補正対象項目名】０１４４
【補正方法】削除
【補正の内容】
【手続補正１４１】
【補正対象書類名】明細書
【補正対象項目名】０１４５
【補正方法】削除
【補正の内容】
【手続補正１４２】
【補正対象書類名】明細書
【補正対象項目名】０１４６
【補正方法】削除
【補正の内容】
【手続補正１４３】
【補正対象書類名】明細書
【補正対象項目名】０１４７
【補正方法】削除
【補正の内容】
【手続補正１４４】
【補正対象書類名】明細書
【補正対象項目名】０１４８
【補正方法】削除
【補正の内容】
【手続補正１４５】
【補正対象書類名】明細書
【補正対象項目名】０１４９
【補正方法】削除
【補正の内容】
【手続補正１４６】
【補正対象書類名】明細書
【補正対象項目名】０１５０
【補正方法】削除
【補正の内容】
【手続補正１４７】
【補正対象書類名】明細書
【補正対象項目名】０１５１
【補正方法】削除
【補正の内容】
【手続補正１４８】
【補正対象書類名】明細書
【補正対象項目名】０１５２
【補正方法】削除
【補正の内容】
【手続補正１４９】
【補正対象書類名】明細書
【補正対象項目名】０１５３
【補正方法】削除
【補正の内容】
【手続補正１５０】
【補正対象書類名】明細書
【補正対象項目名】０１５４
【補正方法】削除
【補正の内容】
【手続補正１５１】
【補正対象書類名】明細書
【補正対象項目名】０１５５
【補正方法】削除
【補正の内容】
【手続補正１５２】
【補正対象書類名】明細書
【補正対象項目名】０１５６
【補正方法】削除
【補正の内容】
【手続補正１５３】
【補正対象書類名】明細書
【補正対象項目名】０１５７
【補正方法】削除
【補正の内容】
【手続補正１５４】
【補正対象書類名】明細書
【補正対象項目名】０１５８
【補正方法】削除
【補正の内容】
【手続補正１５５】
【補正対象書類名】明細書
【補正対象項目名】０１５９
【補正方法】削除
【補正の内容】
【手続補正１５６】
【補正対象書類名】明細書
【補正対象項目名】０１６０
【補正方法】削除
【補正の内容】
【手続補正１５７】
【補正対象書類名】明細書
【補正対象項目名】０１６１
【補正方法】削除
【補正の内容】
【手続補正１５８】
【補正対象書類名】明細書
【補正対象項目名】０１６２
【補正方法】削除
【補正の内容】
【手続補正１５９】
【補正対象書類名】明細書
【補正対象項目名】０１６３
【補正方法】削除
【補正の内容】
【手続補正１６０】
【補正対象書類名】明細書
【補正対象項目名】０１６４
【補正方法】削除
【補正の内容】
【手続補正１６１】
【補正対象書類名】明細書
【補正対象項目名】０１６５
【補正方法】削除
【補正の内容】
【手続補正１６２】
【補正対象書類名】明細書
【補正対象項目名】０１６６
【補正方法】削除
【補正の内容】
【手続補正１６３】
【補正対象書類名】明細書
【補正対象項目名】０１６７
【補正方法】削除
【補正の内容】
【手続補正１６４】
【補正対象書類名】明細書
【補正対象項目名】０１６８
【補正方法】削除
【補正の内容】
【手続補正１６５】
【補正対象書類名】明細書
【補正対象項目名】０１６９
【補正方法】削除
【補正の内容】
【手続補正１６６】
【補正対象書類名】明細書
【補正対象項目名】０１７０
【補正方法】削除
【補正の内容】
【手続補正１６７】
【補正対象書類名】明細書
【補正対象項目名】０１７１
【補正方法】削除
【補正の内容】
【手続補正１６８】
【補正対象書類名】明細書
【補正対象項目名】０１７２
【補正方法】削除
【補正の内容】
【手続補正１６９】
【補正対象書類名】明細書
【補正対象項目名】０１７３
【補正方法】削除
【補正の内容】
【手続補正１７０】
【補正対象書類名】明細書
【補正対象項目名】０１７４
【補正方法】削除
【補正の内容】
【手続補正１７１】
【補正対象書類名】明細書
【補正対象項目名】０１７５
【補正方法】削除
【補正の内容】
【手続補正１７２】
【補正対象書類名】明細書
【補正対象項目名】０１７６
【補正方法】削除
【補正の内容】
【手続補正１７３】
【補正対象書類名】明細書
【補正対象項目名】０１７７
【補正方法】変更
【補正の内容】
【０１７７】
請求項１６記載の発明は、デバイスおよび検索条件を入力可能なクライアントと接続されているサーバの制御方法において、前記デバイスから、前記クライアントで入力された検索条件に基づいて当該デバイスに対する適合度を算出するための算出プログラムを受信する算出プログラム受信ステップと、前記算出プログラムを前記クライアントに送信する算出プログラム送信ステップとを有することを特徴とする。


【手続補正１７４】
【補正対象書類名】明細書
【補正対象項目名】０１７８
【補正方法】削除
【補正の内容】
【手続補正１７５】
【補正対象書類名】明細書
【補正対象項目名】０１７９
【補正方法】削除
【補正の内容】
【手続補正１７６】
【補正対象書類名】明細書
【補正対象項目名】０１８０
【補正方法】削除
【補正の内容】
【手続補正１７７】
【補正対象書類名】明細書
【補正対象項目名】０１８１
【補正方法】削除
【補正の内容】
【手続補正１７８】
【補正対象書類名】明細書
【補正対象項目名】０１８２
【補正方法】削除
【補正の内容】
【手続補正１７９】
【補正対象書類名】明細書
【補正対象項目名】０１８３
【補正方法】削除
【補正の内容】
【手続補正１８０】
【補正対象書類名】明細書
【補正対象項目名】０１８４
【補正方法】削除
【補正の内容】
【手続補正１８１】
【補正対象書類名】明細書
【補正対象項目名】０１８５
【補正方法】削除
【補正の内容】
【手続補正１８２】
【補正対象書類名】明細書
【補正対象項目名】０１８６
【補正方法】削除
【補正の内容】
【手続補正１８３】
【補正対象書類名】明細書
【補正対象項目名】０１８７
【補正方法】削除
【補正の内容】
【手続補正１８４】
【補正対象書類名】明細書
【補正対象項目名】０１８８
【補正方法】削除
【補正の内容】
【手続補正１８５】
【補正対象書類名】明細書
【補正対象項目名】０１８９
【補正方法】削除
【補正の内容】
【手続補正１８６】
【補正対象書類名】明細書
【補正対象項目名】０１９０
【補正方法】削除
【補正の内容】
【手続補正１８７】
【補正対象書類名】明細書
【補正対象項目名】０１９１
【補正方法】削除
【補正の内容】
【手続補正１８８】
【補正対象書類名】明細書
【補正対象項目名】０１９２
【補正方法】削除
【補正の内容】
【手続補正１８９】
【補正対象書類名】明細書
【補正対象項目名】０１９３
【補正方法】削除
【補正の内容】
【手続補正１９０】
【補正対象書類名】明細書
【補正対象項目名】０１９４
【補正方法】削除
【補正の内容】
【手続補正１９１】
【補正対象書類名】明細書
【補正対象項目名】０１９５
【補正方法】削除
【補正の内容】
【手続補正１９２】
【補正対象書類名】明細書
【補正対象項目名】０１９６
【補正方法】削除
【補正の内容】
【手続補正１９３】
【補正対象書類名】明細書
【補正対象項目名】０１９７
【補正方法】削除
【補正の内容】
【手続補正１９４】
【補正対象書類名】明細書
【補正対象項目名】０１９８
【補正方法】削除
【補正の内容】
【手続補正１９５】
【補正対象書類名】明細書
【補正対象項目名】０１９９
【補正方法】削除
【補正の内容】
【手続補正１９６】
【補正対象書類名】明細書
【補正対象項目名】０２００
【補正方法】削除
【補正の内容】
【手続補正１９７】
【補正対象書類名】明細書
【補正対象項目名】０２０１
【補正方法】削除
【補正の内容】
【手続補正１９８】
【補正対象書類名】明細書
【補正対象項目名】０２０２
【補正方法】削除
【補正の内容】
【手続補正１９９】
【補正対象書類名】明細書
【補正対象項目名】０２０３
【補正方法】削除
【補正の内容】
【手続補正２００】
【補正対象書類名】明細書
【補正対象項目名】０２０４
【補正方法】削除
【補正の内容】
【手続補正２０１】
【補正対象書類名】明細書
【補正対象項目名】０２０５
【補正方法】削除
【補正の内容】
【手続補正２０２】
【補正対象書類名】明細書
【補正対象項目名】０２０６
【補正方法】削除
【補正の内容】
【手続補正２０３】
【補正対象書類名】明細書
【補正対象項目名】０２０７
【補正方法】削除
【補正の内容】
【手続補正２０４】
【補正対象書類名】明細書
【補正対象項目名】０２０８
【補正方法】削除
【補正の内容】
【手続補正２０５】
【補正対象書類名】明細書
【補正対象項目名】０３１７
【補正方法】変更
【補正の内容】
【０３１７】
【発明の効果】
以上説明したように、本発明によれば、各デバイスを現在の状態において使用した場合の適合度をユーザに分かり易く通知することができる。


【手続補正２０６】
【補正対象書類名】明細書
【補正対象項目名】０３１８
【補正方法】削除
【補正の内容】
【手続補正２０７】
【補正対象書類名】明細書
【補正対象項目名】０３１９
【補正方法】削除
【補正の内容】
【手続補正２０８】
【補正対象書類名】明細書
【補正対象項目名】０３２０
【補正方法】削除
【補正の内容】
【手続補正２０９】
【補正対象書類名】明細書
【補正対象項目名】０３２１
【補正方法】削除
【補正の内容】
【手続補正２１０】
【補正対象書類名】明細書
【補正対象項目名】０３２２
【補正方法】削除
【補正の内容】
【手続補正２１１】
【補正対象書類名】明細書
【補正対象項目名】０３２３
【補正方法】削除
【補正の内容】
【手続補正２１２】
【補正対象書類名】明細書
【補正対象項目名】０３２４
【補正方法】削除
【補正の内容】
【手続補正２１３】
【補正対象書類名】明細書
【補正対象項目名】０３２５
【補正方法】削除
【補正の内容】
【手続補正２１４】
【補正対象書類名】明細書
【補正対象項目名】０３２６
【補正方法】削除
【補正の内容】
【手続補正２１５】
【補正対象書類名】明細書
【補正対象項目名】０３２７
【補正方法】削除
【補正の内容】
【手続補正２１６】
【補正対象書類名】明細書
【補正対象項目名】０３２８
【補正方法】削除
【補正の内容】
【手続補正２１７】
【補正対象書類名】明細書
【補正対象項目名】０３２９
【補正方法】削除
【補正の内容】
【手続補正２１８】
【補正対象書類名】明細書
【補正対象項目名】０３３０
【補正方法】削除
【補正の内容】
【手続補正２１９】
【補正対象書類名】明細書
【補正対象項目名】０３３１
【補正方法】削除
【補正の内容】
【手続補正２２０】
【補正対象書類名】明細書
【補正対象項目名】０３３２
【補正方法】削除
【補正の内容】
【手続補正２２１】
【補正対象書類名】明細書
【補正対象項目名】０３３３
【補正方法】削除
【補正の内容】
【手続補正２２２】
【補正対象書類名】明細書
【補正対象項目名】０３３４
【補正方法】削除
【補正の内容】
【手続補正２２３】
【補正対象書類名】明細書
【補正対象項目名】０３３５
【補正方法】削除
【補正の内容】
【手続補正２２４】
【補正対象書類名】明細書
【補正対象項目名】０３３６
【補正方法】削除
【補正の内容】
【手続補正２２５】
【補正対象書類名】明細書
【補正対象項目名】０３３７
【補正方法】削除
【補正の内容】
【手続補正２２６】
【補正対象書類名】明細書
【補正対象項目名】０３３８
【補正方法】削除
【補正の内容】
【手続補正２２７】
【補正対象書類名】明細書
【補正対象項目名】０３３９
【補正方法】削除
【補正の内容】
【手続補正２２８】
【補正対象書類名】明細書
【補正対象項目名】０３４０
【補正方法】削除
【補正の内容】
【手続補正２２９】
【補正対象書類名】明細書
【補正対象項目名】０３４１
【補正方法】削除
【補正の内容】
【手続補正２３０】
【補正対象書類名】明細書
【補正対象項目名】０３４２
【補正方法】削除
【補正の内容】